(57)【特許請求の範囲】
【請求項１】
第１の脚部と、第２の脚部と、突出片とが設けられた端子台と、
前記第１及び前記第２の脚部が挿入され前記端子台をスライドすることで前記第１の脚部及び前記第２の脚部と係合する第１及び第２の脚部固定用穴と、前記第１の脚部固定用穴と前記第２の脚部固定用穴との間に配置され、前記突出片が挿入され前記端子台をスライドすることで前記突出片に対し前記端子台をスライドさせた方向に押圧するストッパー部を備える固定穴部とを有する取り付け台座とからなる端子台取り付け構造。
【請求項２】
第１及び第２の脚部固定用穴は、第１及び第２の脚部を挿入する挿入穴部と、前記挿入穴部の挿入穴幅よりも狭い穴幅の固定穴部とからなることを特徴とする請求項１記載の端子台取り付け構造。
【請求項３】
第１及び第２の脚部は、端子台から突出する支持部と、前記第１及び第２の脚部の先端部を形成し前記支持部よりも幅が広い固定部とからなることを特徴とする請求項１または請求項２に記載の端子台取り付け構造。
【請求項４】
ストッパー部は、固定穴部の縁から延設された弾性体であることを特徴とする請求項１乃至請求項３のいずれかに記載の端子台取り付け構造。
【請求項５】
ストッパー部は、第１の脚部固定用穴及び第２の脚部固定用穴一端が固定穴部の一端よりも端子台のスライド方向前方に位置するように設けられ、前記固定穴部の一端に対向する他端から延設された弾性体であることを特徴とする請求項１乃至請求項４のいずれかに記載の端子台取り付け構造。
【請求項６】
端子台は、端子台の脚部を有し、取り付け台座は、端子台の脚部を挿入させるとともに、スライドさせて固定する脚部固定用穴を有し、前記端子台は接地端子を有し、取り付け台座はテーパー部を有する接地端子穴を有し、前記接地端子穴は、前記接地端子を挿入させるとともにスライドし、前記接地端子と前記テーパー部を接触させて接地することを特徴とする請求項１乃至請求項５のいずれかに記載の端子台取り付け構造。
【請求項７】
挿入穴部のスライド方向側にテーパー部を設けることを特徴とする請求項２乃至請求項６のいずれかに記載の端子台取り付け構造。
【発明の詳細な説明】
【０００１】
【発明の属する技術分野】
本発明は、端子台取り付け構造に係り、ネジなどを用いずに、簡易に取り付ける手段に関するものである。
【０００２】
【従来の技術】
図１３（ａ）〜（ｃ）は従来の端子台の構造を示す図であり、図１３（ａ）はその端子台の上面図、図１３（ｂ）はその端子台の側面図、図１３（ｃ）はその端子台の下面図である。図１４は図１３に示す従来の端子台が取り付けられる取り付け台座の上面図である。
図１３及び図１４において、５０は端子台であり、５１は端子台５０が取り付けられる取り付け台座である。５２は端子台５０の長手方向の側面に設けられている係爪である。この係爪５２は、端子台５０の側面から伸びて底面よりも下側の方まで突出し、端子台５０の外側方向に引っ掛け用の爪を有しており、且つ、弾性をも有している。なお、端子台５０の係爪５２に弾性を持たせているのは、端子台５０を取り付け台座５１に強固に固定させるためである。５３は取り付け台座５１に穴加工され、端子台５０の係爪５２を固定する係止穴である。
【０００３】
端子台５０の側面に設けられた係爪５２は、端子台５０の側面に、少なくとも１組対向するように設けられており、この係爪５２に弾性を持たせている。ここで、係爪５２を対向するように設けているのは、端子台５０の外側方向に働く弾性を一対設けることによって、係爪５２を取り付け台座５１の係止穴５３に強く勘合させるためである。端子台５０の係爪５２は、弾性の点で好適な熱可塑性樹脂などで構成している。
【０００４】
５４は端子台５０の下部に設けられ、端子台５０を取り付け台座５２に取り付ける時の位置決め脚であり、５５は端子台５０の下部に設けられ、接地するための接地端子である。
【０００５】
５６は取り付け台座５１に穴加工され、端子台５０の位置決め脚５４をガイドするガイド穴である。端子台５０の係爪５２は、取り付け台座５１の係止穴５３に係合させる際、その弾性力により係止穴５３に強固に固定される。そして、５７は取り付け台座５１に穴加工され、端子台５０の接地端子５５と接触され、アース接地する接地端子穴である。
【０００６】
図１５（ａ）〜（ｃ）は図１３に示す端子台５０を図１４に示す取り付け台座５１に取り付ける工程を示す図である。
図１５（ａ）に示すように、端子台５０と取り付け台座５１を用い、端子台５０が取り付け台座５１に対して矢印ａの方向に押圧されると、端子台５０の係爪５２の引っかけ部先端の外側に設けた傾斜部に、取り付け台座５１の係止穴５３が接触する。端子台５０をａ方向へ押圧し続けると、係止穴５３は、引っかけ部先端の外側に設けた傾斜部と接触した係爪５２を端子台５０の内側方向へ押圧する。これにより、係爪５１は端子台５０の内側方向へ湾曲する。
【０００７】
次いで、端子台５０の内側方向に押圧され、湾曲された端子台５０の係爪５２は、図１５（ｂ）、（ｃ）に示すように、取り付け台座５１の係止穴５３を貫通する。これと同時に、端子台５０の係爪５２は、係爪５２の弾性力によって、今度は端子台５０の内側方向から端子台５０の外側方向へ向かって係止穴５３を押圧する。
【０００８】
係爪５２は端子台５０をはさむようにして設けているため、端子台５０の外側方向へ相互に係爪５２の弾性力が働くので、係爪５２は係止穴５３に強固に固定され、端子台５０と取り付け台座５１は強固に固定される。この端子台５０を取り付け台座５１に固定させると同時に、端子台５０の接地端子５５は、取り付け材座５１の接地端子穴５７と接触させて接地される。
【０００９】
なお、端子台５０の取り付け台座５１への位置決めは、端子台５０の係爪５２と接地端子５５を取り付け台座５１の係止穴５３と接地端子穴５７に各々挿入、固定させる際に同時に行われる。具体的には、その位置決めは、端子台５０の位置決め脚５４を取り付け台座５１のガイド穴５６に案内することによって行う。これにより、端子台５０は取り付け台座５１の所定の位置に誘導される。
【００１０】
この従来の端子台取り付け構造では、端子台５０の係爪５２を弾性の点で好適な熱可塑性樹脂などの材料で構成したため、端子台５０の係爪５２をその弾性力により端子台５０の外側方向へ向かって、取り付け台座５１の係止穴５３を押圧させることができる。このため、端子台５０の係爪５２を取り付け台座５１の係止穴５３に強固に固定できるので、端子台５０を取り付け台座５１に強固に固定できるという利点を有する。
【００１１】
【発明が解決しようとする課題】
しかしながら、上記したような従来の端子台取り付け構造では、端子台５０の係爪５２に弾性を持たせるために、熱可塑性樹脂を採用していたが、近年の厳しい耐熱性基準に絶えられないことがあった。そこで、耐熱性を向上させるために、より難燃性の高い熱硬化性樹脂などを採用すればよいが、熱硬化性樹脂は熱可塑性樹脂と比較して、弾性の点で著しく劣る。
【００１２】
このため、端子台５０の係爪５２に熱硬化性樹脂を、そのまま前述したような従来の端子台取り付け構造における端子台５０の係爪５２に適用すると、端子台５０を取り付け台座５１に取り付けた際に取り付け強度が弱くなり、最悪の場合、端子台５０の係爪５２が破損する恐れがあった。
【００１３】
また、ネジなどの固定手段を用いれば、弾性に優れた熱可塑性樹脂だけでなく、弾性の点で劣る熱硬化性樹脂にも対応することができ、耐熱性、取り付け強度の点を満たすことができるが、ネジ止め工程が新たに必要となってしまう。前述した端子台５０の係爪５２に弾性力を持たせた従来の端子台取り付け構造は、端子台５０の係爪５２を取り付け台座５１の係止穴５３に貫通させて、係爪５２の弾性力によって係爪５２を係止穴５３に係止させるという簡単な取付方法である。
【００１４】
これに対し、ネジ止め作業では、一々ネジをネジ穴に通してからネジをまわして固定させなければならず、作業が面倒であった。また、このネジ止め作業では、ネジ部品及びネジ止め工程等が新たに加わるため、その分、工数が増え、コストが高くなる。
【００１５】
そこで、本発明は、上記のような課題を解消するためになされたもので、コストのかかるネジ止め作業を行うことなく、しかも、端子台に弾性の点で劣った材料を用いても、端子台を取り付け台座に容易な手段で強固且つ低コストで固定することができる端子台取り付け構造を提供することを目的とする。
【００１６】
【課題を解決するための手段】
第１の脚部と、第２の脚部と、突出片とが設けられた端子台と、前記第１及び前記第２の脚部が挿入され前記端子台をスライドすることで前記第１の脚部及び前記第２の脚部と係合する第１及び第２の脚部固定用穴と、前記第１の脚部固定用穴と前記第２の脚部固定用穴との間に配置され、前記突出片が挿入され前記端子台をスライドすることで前記突出片に対し前記端子台をスライドさせた方向に押圧するストッパー部を備える固定穴部とを有する取り付け台座とからなる。
【００１７】
第１及び第２の脚部固定用穴は、第１及び第２の脚部を挿入する挿入穴部と、前記挿入穴部の挿入穴幅よりも狭い穴幅の固定穴部とからなる。
【００１８】
第１及び第２の脚部は、端子台から突出する支持部と、前記第１及び第２の脚部の先端部を形成し前記支持部よりも幅が広い固定部とからなる。
【００１９】
ストッパー部は、固定穴部の縁から延設された弾性体である。
【００２０】
ストッパー部は、第１及び第２の脚部固定用穴一端が固定穴部の一端よりも端子台のスライド方向前方に位置するように設けられ、前記固定穴部の一端に対向する他端から延設された弾性体である。
【００２１】
端子台が取り付け台座に固定された端子台取り付け構造において、端子台は、端子台の脚部を有し、取り付け台座は、端子台の脚部を挿入させるとともに、スライドさせて固定する脚部固定用穴を有し、前記端子台は接地端子を有し、取り付け台座はテーパー部を有する接地端子穴を有し、前記接地端子穴は、前記接地端子を挿入させるとともにスライドし、前記接地端子と前記テーパー部を接触させて接地する。
【００２２】
【００２３】
挿入穴部のスライド方向側にテーパー部を設ける。
【発明の実施の形態】
以下、本発明における実施の形態を、図面を参照して説明する。
実施の形態１
図１〜図４は本発明に係る実施の形態１における端子台取り付け構造の構成部品の図であり、図１（ａ）はその端子台上面図、図１（ｂ）はその端子台側面図、図１（ｃ）はその端子台下面図である。図２は図１に示す端子台が取り付けられる取り付け台座の下面図、図３は図に示す端子台の係爪を拡大図、図４は図２に示す取り付け台座の脚部固定用穴の拡大図である。
【００２４】
図１〜図４において、１は端子台であり、２は端子台１が取り付けられる取り付け台座である。３は端子台１の長手方向の下面端部から下方へ向かって突出する係爪支持部３ａと、この係爪支持部３ａに支持され、端子台１の外側方向にも最下面部分を突出させた係爪固定部３ｂとから構成された係爪である。この端子台１の係爪３は、図１（ｂ）に示すように、端子台１の側面短手方向から見てＬ字形状である。
【００２５】
４は端子台１の係爪３を挿入させるとともに、スライドさせる取り付け台座２に穴加工された挿入穴部４ａと、挿入穴部４ａ内をスライドさせて導入された端子台１の係爪３を固定する固定穴部４ｂとから構成された脚部固定用穴である。挿入穴部４ａは、穴幅が固定穴部４ｂよりも大きくなっており、さらに端子台１の係爪３をスムーズに挿入させるために、穴幅が係爪固定部３ａの対応幅よりも大きくなっている。
【００２６】
固定穴部４ｂは、端子台１の係爪３ａを強固に固定させるために、穴幅が係爪固定部３ｂの対応幅よりも小さくなっており、その穴幅は係爪支持部３ａより若干大きくなっている。端子台１の係爪３は、固定穴部４ｂ内にスライドさせて固定させた後、係爪３が固定穴部４ｂ内から抜けないように係爪３のＬ字部分の最下面部分の係爪固定部３ｂが固定穴部４ｂよりも大きく形成されている。さらに、係爪３は、固定穴部４ｂの外側の所で係爪固定部３ｂが接触して引っかかるようになっている。
【００２７】
挿入穴部４ａと固定穴部４ｂは、端子台１の係爪３を挿入穴部４ａから固定穴部４ｂへスムーズにスライドさせるために、挿入穴部４ａと固定穴部４ｂにおける穴の内側の長手方向で繋がっている辺を直線としている。さらに、挿入穴部４ａと固定穴部４ｂ間には、係爪３のスライド性を向上させるために、穴の中間付近の外側部分にテーパー部Ｍを設けている。
【００２８】
５は端子台１の底面に設けられ、端子台１を取り付け台座２に取り付ける時、端子台１を取り付け台座２の所定の位置に配置するように端子台１を誘導する位置決め脚である。６は取り付け台座２に穴加工され、端子台１の位置決め脚５を誘導して、端子台１を取り付け台座２の所定の位置へ誘導させるガイド穴である。
【００２９】
７は端子台１の底面より突出された接地端子であり、８は取り付け台座２に穴加工され、テーパー部Ｎを有し、接地端子７が挿入される接地端子穴である。端子台１の取り付け台座２への接地は、以下のように行われる。端子台１を取り付け台座２に挿入すると、接地端子７が接地端子穴８に挿入される。この挿入時点では、接地端子７は接地端子穴８にはまだ接触しない。次いで、端子台１をスライドさせると、接地端子７は、接地端子穴８内でスライドされ、接地端子７が接地端子穴８のテーパー部Ｎと接近する。さらに端子台１を取り付け台座２の所定の位置までスライドさせると、接地端子７は接地端子穴８のテーパー部Ｎと接触し、端子台１を取り付け台座２に接地させることができる。
【００３０】
９は端子台１の底面から突出された突出片である。この突出片９は、スライド方向側の部分を、スライド方向側とは逆側の部分よりも突出高さが低くなるように形成している。なお、突出片９の高さは、スライド方向側、逆側に関係なく、一定の高さで形成してもよい。突出片９は、端子台１の底面に対して少なくともスライド方向とは逆側の部分を垂直に突出させている。
【００３１】
１０は端子台１の突出片９を接触させながらスライドさせて穴内に挿入させるとともに、穴内に挿入された突出片９とスライド方向とは逆側の部分で動かないように固定させ、かつ弾性を有するストッパー部１１が穴内に形成された固定穴部である。ストッパー部１１は、端子台１を取り付け台座２に押圧すると、その方向に変形し、押圧力を解除すると再び元に戻ろうとする弾性を有している。
【００３２】
ストッパー部１１は、端子台１の突出片９がスライド方向にスライドされ固定穴部１０内に挿入されると、突出片９をスライド方向とは逆方向に動かないように固定穴部１０内で固定する。これにより、ストッパー部１１は、端子台１がスライド方向とは逆方向へ動いて取り付け台座２から外れるのを防止する。
【００３３】
弾性を有するストッパー１１は、端子台１を取り付け台座２に取り付ける際、端子台１の突出片９に押圧される。ストッパー部１１は、突出片９に対し反発力が働くが、その弾性によって突出片９への反発力を緩和する。これにより、端子台１を取り付け台座２へ押圧する力を軽減できるとともに、スライドさせる際に生じる突出片９とストッパー部１１との摩擦、及び係爪３と脚部固定用穴４の摩擦を軽減することができる。
【００３４】
また、取り付け台座２の所定の位置に端子台１をスライドさせると、端子台１の突出片９は、ストッパー部１１と接触しながらスライドされ、固定穴部１０内に挿入される。突出片９はスライド方向とは逆側の先端部分を垂直に突出させているので、この突出片９の垂直に突出している部分にストッパー部１１を当接させることができる。このため、ストッパー部１１により端子台１をスライド方向とは逆方向側に動いて取り付け台座２から外されてしまうのを防止することができる。
【００３５】
端子台１の係爪３は、底面における片側の長手端部に１箇所、もう一方の片側の長手端部に２箇所の計３箇所設けている。このように、長手両辺に少なくとも１ヵ所ずつ係爪３を設ける形状で構成すれば、端子台１と取り付け台座２の取付強度を十分持たせることができる。
【００３６】
この長手両辺に設けた係爪３に挟まれて、端子台１の底面部分に位置決め脚５、突出片９と接地端子７を設けている。これに対応するように、脚部固定用穴４、ガイド穴６、接地端子穴８、ストッパー部１１及び固定穴部１０を取り付け台座２に設けている。端子台１の係爪３には、脚部固定用穴４が対応し、位置決め脚５にはガイド穴６が対応し、接地端子７には接地端子穴８が対応し、突出片９にはストッパー部１０及び固定穴部１０が対応する。
【００３７】
ここで、突出片９を固定するストッパー部１１に弾性を持たせるためには、ストッパー部１１にある程度の大きさが要求される。そのため、仮に、突出片９を端子台１のスライド方向側の先端部分に配置し、位置決め脚５及び接地端子７を端子台１のスライド方向とは逆側の先端部分に配置して、位置決め脚５及び接地端子７と突出片９との配置を図１の配置と反対に配置した場合（図示せず）、ストッパー部１１の大きさに端子台１の底面積が依存してしまい、端子台１の底面積が大きくなってしまう。
【００３８】
そこで、図１のように、位置決め脚５及び接地端子７をスライド方向側の先端部分に配置し、突出片９を端子台１のスライド方向とは逆側の先端部分に配置すると、端子台１の底面部分から外側にはみ出した状態でストッパー部１１を取り付け台座２に配置できる。そのため、ストッパー部１１の大きさによらず端子台１を容易に設計することができ、端子台１を小型化することができる。
【００３９】
また、突出片９を端子台１のスライド方向とは逆側の先端部分に配置することにより、端子台１を取り付け台座２に固定したとき、ストッパー部１１は端子台１の底面部分より外側にはみ出して配置できる。このため、端子台１の底面部分からはみ出したストッパー部１１を工具などで押すことができる。その為、突出片９を固定しているストッパー部１１と突出片９の勘合を容易に解除することができ、取り付け台座２に固定した端子台１を取り外すことが容易に行える。
【００４０】
図５（ａ）〜（ｄ）は図１に示す端子台１を図２に示す取り付け台座２に取り付ける工程を示す図である。図５（ａ）は、端子台１を取り付け台座２に取り付ける前の図である。図５（ｂ）は、端子台１を取り付け台座２に押圧した図である。図５（ｃ）は、図５（ｂ）の状態の下面図である。図５（ｄ）は、端子台１を取り付け台座２にスライドさせて取り付けた図である。
【００４１】
まず、端子台１の位置決め脚５を取り付け台座２にあるガイド穴６に挿入するとともに、端子台１の係爪３を取り付け台座２の脚部固定用穴４の挿入穴部４ａに挿入し、端子台１の接地端子７を取り付け台座２の接地端子穴８に挿入する。このとき、端子台１の底面に配置された突出片９は、取り付け台座２にあるストッパー部１１を押圧する。
【００４２】
次に、端子台１を取り付け台座２に向かって押圧しながら、図５（ｃ）に示す矢印Ａ方向に端子台１をスライドさせる。これにより、端子台１の位置決め脚５は、取り付け台座２のガイド穴６によって案内され、取り付け台座２の所定の位置へ端子台１が誘導される。また、取り付け台座２の脚部固定用穴４の挿入穴部４ａに挿入された端子台１の係爪３は、取り付け台座２の脚部固定用穴４の挿入穴部４ａから固定穴部４ｂへスライドされる。係爪３は脚部固定用穴４の固定穴部４ｂによって固持され、端子台１は取り付け台座２に固定される。
【００４３】
また、係爪３の係爪支持部３ａは、対応幅が略同じ固定穴部４ｂ内で固定される。係爪３の係爪固定部３ｂは、固定穴部４ｂよりも大きく形成されているため、固定穴部４ｂを覆うように配置され、端子台１を取り付け台座２から外れないようにできる。同時に、端子台１の接地端子７は、取り付け台座２の接地端子穴８でスライドされる。端子台１が取り付け台座２の所定位置へ取り付けられると、接地端子穴８のテーパー部Ｎは接地端子７と接触される。これにより、端子台１が取り付け台座２に接地される。
【００４４】
また、端子台１の底面に配置された突出片９により、取り付け台座２のストッパー部１１の弾性部分が押圧させると、突出片９はストッパー部１１の上をスライドされる。
端子台１の突出片９を、取り付け台座２のストッパー部１１を通過させて取り付け台座２の固定穴部１０に到達させると、端子台１側から取り付け台座２の方向への突出片９によるストッパー部１１の押圧がなくなる。取り付け台座２のストッパー部１１は突出片９の押圧がなくなるので、その弾性によって押圧前の形状に戻る。これにより、ストッパー部１１は端子台１の底面に接触されるとともに、端子台１の突出片９と勘合される。このため、端子台１の取り付け台座２へのスライド方向とは逆方向へ動いて、端子台１が取り付け台座２から外れるのを防止させることができる。
【００４５】
上記記載の一連の動作により、端子台１に弾性の点で劣った材料を用いても、ネジ止め作業などをすることなく、また、特別な工具などを用いないで、端子台１を取り付け台座２に容易、且つ確実に固定することができる。
また、取り付け台座２の所定の位置に取り付けた端子台１において、取り付け台座２のストッパー部１１を、工具などを用いてストッパー部１１と端子台１の突出片９の勘合を解除すると、端子台１はスライド方向とは逆方向へ容易にスライドさせることができる。端子台１を取り付け台座２に対してスライド方向とは逆方向へスライドさせると、端子台１の係爪３は、脚部固定用穴４の固定穴部４ｂから挿入穴部４ａへスライドされる。このとき、係爪３の固定部３ｂの幅は挿入穴部４ａの幅より小さいので、端子台１を取り付け台座２から取り外すことができる。
【００４６】
実施の形態２
図６及び図７は実施の形態２における取り付け台座の他の実施例である。図６は取り付け台座の下面図であり、取り付け台座の脚部固定用穴の他の実施例を示す図である。図６（ａ）は、挿入穴部４ａと固定穴部４ｂにテーパー部Ｍを設けずに、取り付け台座２を下面から見てＬ字形状となる脚部固定用穴４である。図６（ｂ）は、端子台１の外側において、挿入穴部４ａと固定穴部４ｂ間を段形状にするのでなく、挿入穴部４ａと固定穴部４ｂとの結合を一辺にテーパー部Ｐを設けた一連の脚部固定用穴４としたものである。図７は取り付け台座２の脚部固定用穴４の拡大図である。
【００４７】
図６（ａ）、図７（ａ）において、脚部固定用穴４は挿入穴部４ａと固定穴部４ｂで構成している。挿入穴部４ａの幅は、係爪３の係爪固定部３ａの幅よりも広い。固定穴部４ｂの幅は、係爪３の係爪固定部３ａの幅よりも狭く、且つ係爪３の係爪支持部３ｂよりも若干広い。脚部固定用穴４は端子台１の内側を直線となるように挿入穴部４ａと固定穴部４ｂとを配置し、端子台１の外側において、取り付け台座２の挿入穴部４ａと固定穴部４ｂ間で段形状になるよう配置する。
【００４８】
図６（ａ）において、脚部固定用穴４の挿入穴部４ａに端子台１の係爪３を挿入するとともにスライドさせて、端子台１の係爪３を固定穴部４ｂによって固定される。このとき、実施の形態１の取り付け台座２に設けられた脚部固定用穴４と比較すると、取り付ける時のスライド性が若干劣るが、スライドさせるスライド幅を短くし、コンパクトになるように設計できる。
【００４９】
図６（ｂ）、図７（ｂ）は、脚部固定用穴４は挿入穴部４ａと固定穴部４ｂとで構成している。挿入穴部４ａは、係爪３の係爪挿入部３ａの幅よりも広く、固定穴部４ｂは、係爪３の係爪挿入部３ａの幅よりも小さく、且つ係爪３の係爪支持部３ｂの幅よりも若干広い。端子台１の内側に相当する脚部固定用穴４は、スライド方向と平行な直線とし、端子台１の外側に相当する脚部固定用穴４は、斜辺となるようにして、係爪挿入部３ａから係爪固定部３ｂに向かって、穴幅が徐々に狭くなる。
【００５０】
図６（ｂ）において、脚部固定用穴４の挿入穴部４ａに端子台１の係爪３を挿入するとともにスライドさせる。脚部固定用穴４は挿入穴部４ａから固定穴部４ｂへ行くに従って徐々に狭まっていくため、端子台１の係爪３は脚部固定用穴４の固定穴部４ｂに固定される。このとき、実施の形態１の取り付け台座２に設けられた脚部固定用穴４と比較すると、取り付けた時の取り付け強度が若干劣るが、取り付ける時のスライド性が良好になる。
【００５１】
実施の形態３
図８〜図１０は実施の形態３における端子台の他の実施例である。図８（ａ）は端子台の上面図、図８（ｂ）は端子台の側面図、図８（ｃ）は端子台の下面図である。図９は取り付け台座の下面図であり、端子台の形状を図８に示した場合における脚部固定用穴である。図９（ａ）は、挿入部と固定部とで構成され、挿入部と固定部の結合部分に斜辺を設けた脚部固定用穴を示す図である。図９（ｂ）は、挿入穴部と固定穴部とで構成され、挿入穴部と固定穴部は結合させ、取り付け台座を下面からみてＴ字形状とした脚部固定用穴を示す図である。図９（ｃ）は、挿入穴部と固定穴部とを２辺に一連の斜辺部を設けた脚部固定用穴を示す図である。図１０（ａ）〜（ｃ）は図９（ａ）〜（ｃ）における脚部固定用穴の拡大図である。
【００５２】
図８において、係爪３は端子台１の短手方向の下面端部から、端子台１の下方に突出させるとともに、係爪支持部３ａを取り付け台座２の厚み分延長したところから端子台１の長手方向両側に最下面部分を突出させた係爪固定部３ｂで構成している。端子台１の短手方向から端子台１を見たときの係爪３の形状はＴ字形状である。このようにすることにより、取り付け台座２の幅の狭いところにおいても、端子台１を取り付けることができる。
【００５３】
図９（ａ）において、脚部固定用穴４の挿入穴部４ａに端子台１の係爪３が挿入されるとともにスライドされ、固定穴部４ｂで端子台１の係爪３は固定される。脚部固定用穴４をこの形状とすることで、端子台１は取り付け台座２にスムーズにスライドさせて取り付けることができる。
図９（ｂ）において、脚部固定用穴４の挿入穴部４ａに端子台１の係爪３が挿入されるとともにスライドされ、固定穴部４ｂで端子台１の係爪３は固定される。図９（ａ）の脚部固定用穴４と比較すると、取り付ける時のスライド性が若干劣るが、スライドさせるスライド幅が短くなり、コンパクトな取り付け台座２とすることができる。
【００５４】
図９（ｃ）において、脚部固定用穴４の挿入穴部４ａに端子台１の係爪３が挿入されるとともにスライドされ、固定穴部４ｂで端子台１の係爪３は固定される。図９（ａ）の脚部固定用穴４と比較すると、取り付けた時の取り付け強度が若干劣るが、端子台１を取り付け台座２に取り付ける時のスライド性が優れている。
【００５５】
実施の形態４
図１１及び図１２は実施の形態４における端子台に設けられた係爪の他の実施例である。図１１（ａ）は端子台の長手方向からの側面図、図１１（ｂ）は端子台の短手方向からの側面図、図１２（ａ）は端子台の長手方向からの側面図、図１２（ｂ）は短手方向からの側面図である。
図１１において、係爪３に切りかけ１２を設けている。この切りかけ１２は、端子台１を取り付け台座２にスライドさせて取り付ける時のスライド方向の先端部、且つ、端子台１の係爪３と取り付け台座２との接触面に設けている。
図１２は、端子台１の係爪３に単数または複数の球面状の凸部を、端子台１の係爪３と取り付け台座２の接触する係止部分に設けている。
【００５６】
上記の実施の形態１ないし実施の形態３において、図１１に示すような端子台１の係爪３とすることで、スムーズな取り付けを行うことができる。
図１１において、係爪３に設けた切りかけ１２は端子台１の係爪３の角に傾斜を持たせるようにしている。この係爪３に設けた切りかけ１２は、端子台１の係爪３を取り付け台座２の脚部固定用穴４の挿入部４ａから固定部４ｂへスライドするとき、脚部固定用穴４が係爪３の切りかけ１２の斜面部に接触する。脚部固定用穴４は、切りかけ１２の斜辺部に案内されて、端子台１の底面と係爪３の間に誘導される。このとき、脚部固定用穴４と切りかけ１２は斜めに接触するため、切りかけ１２のない係爪３と比較して、脚部固定用穴４と係爪３との間に無理な引っかかりがなくなり、係爪３が脚部固定用穴４にスムーズにスライドできる。
【００５７】
図１２において、単数または複数の球面状の凸部１３を端子台１の係爪３の部分、且つ端子台１の係爪３と取り付け台座２の接触面に設けている。
この係爪３に設けた球面状の凸部１３は脚部固定用穴４の挿入穴部４ａから固定穴部４ｂへスライドする際、脚部固定用穴４と接触する。接触した脚部固定用穴４は、係爪３の球面状の凸部１３の曲面との接触抵抗が少ないため、スムーズに端子台１の底面と係爪３の間に案内され、省力で端子台１を取り付け台座２の所定の位置にスライドさせることができる。
【００５８】
【発明の効果】
本発明によれば、端子台の脚部を脚部固定用穴内に挿入させるとともに、スライドさせて脚部固定用穴に固定するように構成することにより、コストのかかるネジ止め作業を行うことなく、しかも端子台に弾性の点で劣った材料を用いても、端子台を取り付け部材に容易に、かつ強固に、しかも低コストで固定することができる。
【００５９】
また、前記端子台は、突出片を有し、前記取り付け部材は、突出片を接触させながらスライドさせて穴内に挿入させるとともに、穴内に挿入された突出片を固定するストッパー部が形成された突出片固定用穴を有するように構成することにより、突出片をストッパー部に接触させながらスライドさせるだけで突出片固定用穴内に挿入させ、挿入された突出片をストッパー部で固定することができるので、端子台を取り付け部材に効率よく固定することができる。
【００６０】
また、前記脚部固定用穴は、前記脚部を挿入させる挿入穴部と、挿入穴部からスライドされた脚部を固定し、挿入穴幅よりも小さい穴幅の固定穴部とからなるように構成することにより、脚部を挿入穴内に挿入させてスライドさせるだけで固定穴部で固定することができるので、端子台を取り付け部材へ取り付ける取り付け性を向上させることができるとともに、端子台を取り付け部材へ取り付ける強度を向上させることができる。
【００６１】
また、端子台の脚部は、脚部の先端部の幅が脚部の支持部の幅より大きい構造により、端子台を取り付け部材へ取り付ける強度が向上する。
【００６２】
また、前記脚部は端子台の底面端部に少なくとも２箇所以上設けたことにより、取り付け部材に端子台の両端部を固定することができ、取り付け部材への取り付け強度が向上する。
【００６３】
また、前記端子台は接地端子を有し、取り付け部材はテーパー部を有する接地端子穴を有し、前記接地端子穴は、前記接地端子を挿入させるとともにスライドし、前記接地端子と前記テーパー部を接触させて接地するため、効率よく前記端子台を前記取り付け部材に接地することができる。
【００６４】
また、前記ストッパー部は、弾性体からなる構造により、前記取り付け台座の前記ストッパー部上を端子台の前記突出部がスライドし易くなり、且つ、前記端子台を取り付け台座から取り外すことができる。
【００６５】
また、前記挿入穴部のスライド方向側にテーパー部を設けたことにより、前記端子台の前記脚部のスライド性が向上する。
【図面の簡単な説明】
【図１】  本発明に係る実施の形態１の端子台取り付け構造における端子台を示す図である。
【図２】  本発明に係る実施の形態１の端子台取り付け構造における脚部固定用穴を示す図である。
【図３】  本発明に係る実施の形態１の端子台取り付け構造における端子台係爪を示す拡大図である。
【図４】  本発明に係る実施の形態１の端子台取り付け構造における脚部固定用穴を示す拡大図である。
【図５】  本発明に係る実施の形態１の端子台取り付け構造における取り付け構造を示す図である。
【図６】  本発明に係る実施の形態２の端子台取り付け構造における脚部固定用穴を示す図である。
【図７】  本発明に係る実施の形態２の端子台取り付け構造における脚部固定用穴を示す拡大図である。
【図８】  本発明に係る実施の形態３の端子台取り付け構造における端子台を示す図である。
【図９】  本発明に係る実施の形態３の端子台取り付け構造における脚部固定用穴を示す図である。
【図１０】本発明に係る実施の形態３の端子台取り付け構造における脚部固定用穴を示す拡大図である。
【図１１】  本発明に係る実施の形態４の端子台取り付け構造における係爪を示す図である。
【図１２】  本発明に係る実施の形態４の端子台取り付け構造における係爪を示す図である。
【図１３】  従来の端子台取り付け構造における端子台を示す図である。
【図１４】  従来の端子台取り付け構造における脚部固定用穴を示す図である。
【図１５】  従来の端子台取り付け構造における係る取り付け台座を示す図である。
【符号の説明】
１  端子台、  ２  取り付け台座、  ３  係爪、  ４  脚部固定用穴、  ５  位置決め用脚、  ６  ガイド穴、  ７  接地端子、  ８  接地端子穴、  ９  突出片、  １０  固定穴部、  １１  ストッパー部、  １２  切りかけ、  １３  球面状の凸部、  ５０  端子台、  ５１  取り付け台座、  ５２  係爪、  ５３  係止穴、  ５４  位置決め用脚、  ５５  接地端子、  ５６  ガイド穴、  ５７  接地端子穴、  Ｍ  テーパー部、  Ｎ  テーパー部、  Ｐ  テーパー部。
【図１】
0004520686.tif 000002
【図２】
0004520686.tif 000003
【図３】
0004520686.tif 000004
【図４】
0004520686.tif 000005
【図５】
0004520686.tif 000006
【図６】
0004520686.tif 000007
【図７】
0004520686.tif 000008
【図８】
0004520686.tif 000009
【図９】
0004520686.tif 000010
【図１０】
0004520686.tif 000011
【図１１】
0004520686.tif 000012
【図１２】
0004520686.tif 000013
【図１３】
0004520686.tif 000014
【図１４】
0004520686.tif 000015
【図１５】
0004520686.tif 000016